(57)【要約】【課題】  キャリアフィルムを容易且つ確実に装着することができるオーバコート装置を提供する。【解決手段】  このオーバコート装置においては、カード搬送路３の側壁１８から離れるほどフィルムガイドローラ８から離れるように傾斜するフィルムガイド面２２ａを有するフィルムガイド部材２２がカード搬送路３の側壁１８に取り付けられている。これにより、フィルムガイドローラ８とフィルムガイド面２２ａとの間から、フィルムガイドローラ８とカード搬送路３との間へと、スムーズにキャリアフィルムＡ１を移動させることができる。従って、キャリアフィルムＡ１に皺が寄ったり、キャリアフィルムＡ１が折れ曲がったりするのを防止して、フィルムガイドローラ８にキャリアフィルムＡ１を容易且つ確実に装着することが可能になる。【選択図】  図６
2006198961.tif 000002
【特許請求の範囲】
【請求項１】
走行するキャリアフィルム上のオーバコートフィルムをヒートローラにより記録媒体の表面に熱圧着するオーバコート装置において、
所定の搬送面に沿って形成され、前記記録媒体の表面が前記搬送面と略平行な状態で前記記録媒体が搬送される記録媒体搬送路と、
前記記録媒体搬送路に沿って複数配置され、前記搬送面と略平行な状態で前記キャリアフィルムが走行するように前記キャリアフィルムを案内するフィルムガイドローラと、
前記記録媒体搬送路の側壁の外側に取り付けられ、前記側壁から離れるほど前記フィルムガイドローラから離れるように形成されたフィルムガイド面を有するフィルムガイド部材とを備えることを特徴とするオーバコート装置。
【請求項２】
前記フィルムガイド部材は、前記側壁に形成された挿入口を介して前記記録媒体搬送路内に位置して前記記録媒体を案内する記録媒体ガイド部を有すると共に、前記側壁に対して着脱自在になっていることを特徴とする請求項１記載のオーバコート装置。
【発明の詳細な説明】
【技術分野】
【０００１】
本発明は、カード等の記録媒体の表面にオーバコートフィルムを付するオーバコート装置に関する。
【背景技術】
【０００２】
従来のオーバコート装置として、オーバコートフィルムが貼付されたキャリアフィルムとカードとが、並設されたヒートローラとプラテンローラとの間を通過するように構成されたものが知られている（例えば、特許文献１参照）。このような構成により、キャリアフィルム上のオーバコートフィルムがカードの表面に熱圧着される。
【特許文献１】特開平１０−７１６４８号公報
【発明の開示】
【発明が解決しようとする課題】
【０００３】
しかしながら、上述したようなオーバコート装置にあっては、一般的に装置本体に対してキャリアフィルムを装着し難いという課題がある。そのため、装着の際にキャリアフィルムに皺が寄ったり、キャリアフィルムが折れ曲がったりする等、キャリアフィルムの装着状態が不確実になるおそれがある。
【０００４】
そこで、本発明は、このような事情に鑑みてなされたものであり、キャリアフィルムを容易且つ確実に装着することができるオーバコート装置を提供することを目的とする。
【課題を解決するための手段】
【０００５】
上記目的を達成するために、本発明に係るオーバコート装置は、走行するキャリアフィルム上のオーバコートフィルムをヒートローラにより記録媒体の表面に熱圧着するオーバコート装置において、所定の搬送面に沿って形成され、記録媒体の表面が搬送面と略平行な状態で記録媒体が搬送される記録媒体搬送路と、記録媒体搬送路に沿って複数配置され、搬送面と略平行な状態でキャリアフィルムが走行するようにキャリアフィルムを案内するフィルムガイドローラと、記録媒体搬送路の側壁の外側に取り付けられ、側壁から離れるほどフィルムガイドローラから離れるように形成されたフィルムガイド面を有するフィルムガイド部材とを備えることを特徴とする。
【０００６】
このオーバコート装置においては、記録媒体搬送路の側壁から離れるほどフィルムガイドローラから離れるように形成されたフィルムガイド面を有するフィルムガイド部材が記録媒体搬送路の側壁に取り付けられている。これにより、フィルムガイドローラとフィルムガイド面との間から、フィルムガイドローラと記録媒体搬送路との間へと、スムーズにキャリアフィルムを移動させることができる。従って、キャリアフィルムに皺が寄ったり、キャリアフィルムが折れ曲がったりするのを防止して、フィルムガイドローラにキャリアフィルムを容易且つ確実に装着することが可能になる。
【０００７】
また、本発明に係るオーバコート装置においては、フィルムガイド部材は、側壁に形成された挿入口を介して記録媒体搬送路内に位置して記録媒体を案内する記録媒体ガイド部を有すると共に、側壁に対して着脱自在になっていることが好ましい。このように、記録媒体搬送路内において記録媒体を案内する記録媒体ガイド部をフィルムガイド部材に設けることで、記録媒体搬送路の側壁の挿入口を大型化することができる。従って、何らかの原因で記録媒体が記録媒体搬送路内に詰まった場合に、フィルムガイド部材を取り外すことで、挿入口を介して記録媒体搬送路内から記録媒体を容易に取り除くことが可能になる。
【発明の効果】
【０００８】
本発明によれば、キャリアフィルムを容易且つ確実に装着することができる。
【発明を実施するための最良の形態】
【０００９】
以下、本発明に係るオーバコート装置の好適な実施形態について、図面を参照して詳細に説明する。
【００１０】
図１に示すように、オーバコート装置１は、キャリアフィルムＡ１，Ａ２上に所定の間隔をもって配置されたオーバコートフィルムをプラスチック製のカード（記録媒体）Ｓの上面及び下面に付する装置である。このオーバコート装置１は、筐体２内において左右方向に延在する搬送面Ｐに沿って形成されたカード搬送路（記録媒体搬送路）３を有しており、カードＳは、その上面及び下面が搬送面Ｐと略平行な状態でカード搬送路３内を搬送される。このカード搬送路３内には、カードＳを挟持して搬送する上下一対の搬送ローラ４が所定の間隔をもって複数組配置されている。
【００１１】
カード搬送路３の上側には、カードＳの上面にオーバコートフィルムを付するためのキャリアフィルムＡ１が巻き付けられる供給ローラ６と、この供給ローラ６からキャリアフィルムＡ１を巻き取る巻取りローラ７とが配置されている。供給ローラ６から引出されたキャリアフィルムＡ１は、カード搬送路３に沿って一対配置されたフィルムガイドローラ８，８に巻き掛けられて巻取りローラ７に至る。これらの一対のフィルムガイドローラ８，８は、搬送面Ｐと略平行な状態でキャリアフィルムＡ１が走行するようにキャリアフィルムＡ１を案内する。
【００１２】
同様に、カード搬送路３の下側には、カードＳの下面にオーバコートフィルムを付するためのキャリアフィルムＡ２が巻き付けられる供給ローラ１０と、この供給ローラ１０からキャリアフィルムＡ２を巻き取る巻取りローラ１１とが配置されている。供給ローラ１０から引出されたキャリアフィルムＡ２は、カード搬送路３に沿って一対配置されたフィルムガイドローラ１２，１２に巻き掛けられて巻取りローラ１１に至る。これらの一対のフィルムガイドローラ１２，１２は、搬送面Ｐと略平行な状態でキャリアフィルムＡ２が走行するようにキャリアフィルムＡ２を案内する。
【００１３】
上述したフィルムガイドローラ８は、図２に示すように、筐体２の後側の内壁２ａに固定されて前方に延出する軸５によって回転自在に支持されており、キャリアフィルムＡ１が巻き掛けられるローラ部８ａと、このローラ部８ａの両端に一体的に形成された規制部８ｂとを有している。ローラ部８ａは、キャリアフィルムＡ１の幅と略同一の幅を有しており、規制部８ｂは、ローラ部８ａの外径より大きい外径を有しているため、ローラ部８ａに巻き掛けられたキャリアフィルムＡ１は、ローラ部８ａの中心軸線方向（前後方向）への動きを規制される。なお、フィルムガイドローラ１２も、フィルムガイドローラ８と同様に構成されている。
【００１４】
また、図１に示すように、カード搬送路３の上側においてフィルムガイドローラ８，８の間には、カード搬送路３内に対して進退自在となるように構成されたヒートローラ１３が配置されており、同様に、カード搬送路３の下側においてフィルムガイドローラ１２，１２の間には、カード搬送路３内に対して進退自在となるように構成されたヒートローラ１４が配置されている。ヒートローラ１３の進退のタイミングは、キャリアフィルムＡ１に付されたマークをセンサ１６が検知することで制御され、同様に、ヒートローラ１４の進退のタイミングは、キャリアフィルムＡ２に付されたマークをセンサ１７が検知することで制御される。
【００１５】
これにより、各ヒートローラ１３，１４がカード搬送路３内に前進すると、搬送されてきたカードＳがヒートローラ１３とヒートローラ１４とにより上下から挟み込まれて、カードＳの上面にはキャリアフィルムＡ１が押し当てられ、カードＳの下面にはキャリアフィルムＡ２が押し当てられる。その結果、図２に示すように、カードＳの上面には、キャリアフィルムＡ１上に載せられていたオーバコートフィルムＢ１が熱圧着され、カードＳの下面には、キャリアフィルムＡ２上に載せられていたオーバコートフィルムＢ２が熱圧着される。その後、各ヒートローラ１３，１４はカード搬送路３内から後退する。
【００１６】
また、図３に示すように、カード搬送路３は、前後方向において対面する側壁１８，１９を有している。各側壁１８，１９の内面には、カードＳの上面及び下面が搬送面Ｐと略平行な状態でカードＳがカード搬送路３内を搬送されるようにカードＳを案内するカードガイド部材２１が搬送面Ｐに沿って複数取り付けられている。各カードガイド部材２１には、カードＳの縁部が挿入されるガイド溝２１ａが形成されている。
【００１７】
カード搬送路３の前側の側壁１８には、外側からフィルムガイド部材２２が取り付けられている。より詳細には、フィルムガイド部材２２は、その上流側（カード搬送路３の上流側）端部が側壁１８の上流側端部の外側に立設された軸２３によって回転自在に支持され、その下流側（カード搬送路３の下流側）端部が側壁１８のネジ穴にローレットネジ２４によって固定された状態で、側壁１８の外面に取り付けられている。
【００１８】
このフィルムガイド部材２２は、図３及び図４に示すように、側壁１８から離れるほどフィルムガイドローラ８から離れるように傾斜したフィルムガイド面２２ａと、側壁１８から離れるほどフィルムガイドローラ１２から離れるように傾斜したフィルムガイド面２２ｂとを有している。更に、フィルムガイド部材２２には、カード搬送路３内に位置してカードガイド部材２１との協働によりカードＳを案内する一対のカードガイド部（記録媒体ガイド部）２６、２６が一体的に形成されている。各カードガイド部２６には、カードＳの上面及び下面が搬送面Ｐと略平行な状態でカードＳがカード搬送路３内を搬送されるように、カードＳの縁部が挿入されるガイド溝２６ａが形成されている。
【００１９】
また、図５に示すように、カード搬送路３の側壁１８においてヒートローラ１３，１４がカード搬送路３内に前進する位置（すなわち、カードＳに対するオーバコートフィルムＢ１，Ｂ２の熱圧着位置）の側方には挿入口１８ａが形成されている。フィルムガイド部材２２の一対のカードガイド部２６，２６は、側壁１８に形成された挿入口１８ａを介してカード搬送路３内に位置し、カードガイド部材２１との協働によりカードＳを案内する。
【００２０】
以上説明したように、オーバコート装置１においては、側壁１８から離れるほどフィルムガイドローラ８から離れるように形成されたフィルムガイド面２２ａと、側壁１８から離れるほどフィルムガイドローラ１２から離れるように形成されたフィルムガイド面２２ｂとを有するフィルムガイド部材２２がカード搬送路３の側壁１８に取り付けられている。これにより、図６において矢印で示すように、フィルムガイドローラ８とフィルムガイド面２２ａとの間から、フィルムガイドローラ８とカード搬送路３との間へと、スムーズにキャリアフィルムＡ１を移動させることができる。同様に、フィルムガイドローラ１２とフィルムガイド面２２ｂとの間から、フィルムガイドローラ１２とカード搬送路３との間へと、スムーズにキャリアフィルムＡ２を移動させることができる。従って、キャリアフィルムＡ１，Ａ２に皺が寄ったり、キャリアフィルムＡ１，Ａ２が折れ曲がったりするのを防止して、フィルムガイドローラ８，１２にキャリアフィルムＡ１，Ａ２を容易且つ確実に装着することが可能になる。
【００２１】
また、フィルムガイド部材２２は、側壁１８に形成された挿入口１８ａを介してカード搬送路３内に位置してカードＳを案内するカードガイド部２６を有すると共に、図７に示すように、ローレットネジ２４を側壁１８から取り外して軸２３を中心として回転させ、側壁１８から取り外される。このように、カード搬送路３内においてカードＳを案内するカードガイド部２６をフィルムガイド部材２２に設けることで、カード搬送路３の側壁１８の挿入口１８ａを大型化することができる。従って、何らかの原因でカードＳがカード搬送路３内に詰まった場合に、フィルムガイド部材２２を側壁１８から取り外すことで、図７において矢印で示すように、挿入口１８ａを介してカード搬送路３内からカードＳを容易に取り除くことが可能になる。
【００２２】
本発明は、上記実施形態に限定されるものではない。例えば、上記実施形態は、オーバコート装置１がプラスチック製のカードＳにオーバコートフィルムを付する場合であったが、本発明では、紙製のカード等、種々の記録媒体をオーバコートの対象とすることができる。
【図面の簡単な説明】
【００２３】
【図１】本実施形態に係るオーバコート装置の内部を示す正面図である。
【図２】図１に示す矢印α側から見たフィルムガイドローラ周辺の平面図である。
【図３】図１に示すオーバコート装置のカード搬送路の側壁にフィルムガイド部材が取り付けられた状態でのカード搬送路周辺の平面図である。
【図４】図１に示すオーバコート装置のフィルムガイド部材の斜視図である。
【図５】図１に示すオーバコート装置のカード搬送路の側壁の拡大正面図である。
【図６】図１に示す矢印β側から見た巻取りローラ及びフィルムガイドローラ周辺の側面図である。
【図７】図１に示すオーバコート装置のカード搬送路の側壁からフィルムガイド部材が取り外された状態でのカード搬送路周辺の平面図である。
【符号の説明】
【００２４】
１…オーバコート装置、３…カード搬送路（記録媒体搬送路）、８，１２…フィルムガイドローラ、１３，１４…ヒートローラ、１８…側壁、１８ａ…挿入口、２２…フィルムガイド部材、２２ａ，２２ｂ…フィルムガイド面、２６…カードガイド部（記録媒体ガイド部）、Ａ１，Ａ２…キャリアフィルム、Ｂ１，Ｂ２…オーバコートフィルム、Ｐ…搬送面、Ｓ…カード（記録媒体）。
【図１】
2006198961.tif 000003
【図２】
2006198961.tif 000004
【図３】
2006198961.tif 000005
【図４】
2006198961.tif 000006
【図５】
2006198961.tif 000007
【図６】
2006198961.tif 000008
【図７】
2006198961.tif 000009